(57)【特許請求の範囲】
【請求項１】
第１の同軸ケーブルを介して受信した信号を、前記第１の同軸ケーブルとは異なる第２の同軸ケーブルを介して伝送すると共に、商用電源から受電した電力を前記第１の同軸ケーブル又は前記第２の同軸ケーブルを介して電子機器に供給する電力供給器であって、
前記第１の同軸ケーブルから前記信号の入力を受ける入力端子と、
前記入力端子から入力された前記信号を前記第２の同軸ケーブルに出力する出力端子と、
前記商用電源から電力を受電する受電端子と、
設置対象に対して前記受電端子の配置位置を変更可能に、当該電力供給器を当該設置対象に取り付けるための取付手段と、を備え、
前記取付手段が、当該電力供給器における当該取付手段と接続される側面の中心に対して対称となる２つの位置のいずれか一方に選択的に固定されるように、前記取付手段を当該電力供給器に対して接続可能とした、
電力供給器。
【請求項２】
当該電力供給器の側面上に、前記取付手段を当該電力供給器に接続するための突起部を一対設け、
前記一対の突起部を、当該電力供給器における前記突起部が設けられている側面の中心に対して対称となるように配置し、
前記取付手段が前記一対の突起部の相互間に配置された前記設置対象を押圧するように、前記取付手段を当該電力供給器に対して接続可能とした、
請求項１に記載の電力供給器。
【請求項３】
前記取付手段を前記電力供給器に固定する固定部を、前記受電端子の配置位置の変更パターン数に応じて複数備え、
前記複数の固定部を、アース端子とした、
請求項１又は２に記載の電力供給器。
【発明の詳細な説明】
【技術分野】
【０００１】
本発明は、電力供給器に関する。
【背景技術】
【０００２】
従来から、センター装置から複数の住戸等に対して放送信号を伝送するためのＣＡＴＶシステムにおいて、センター装置から送信された放送信号を伝送ラインを介して各住戸に供給している。この伝送ラインには、増幅器等の各種の電子機器が配置されていると共に、この電子機器に電力を供給する電力供給器が配置されている（特許文献１参照）。
【０００３】
この電力供給器は、概略的には、伝送ラインを構成する同軸ケーブルから信号の入力を受ける入力端子と、入力された信号を伝送ラインを構成する同軸ケーブルに出力する出力端子と、商用電源から受電した電力を受電する受電端子とを備えて構成されている。この受電端子としては、具体的には、第１の受電端子と第２の受電端子とが設けられており、これら第１の受電端子と第２の受電端子とは、電力供給器の筐体の側面のうち、相互に対向する２つの側面に設けられている。このため、設置対象（例えば壁面等）に対して電力供給器を固定した状態において、この電力供給器の向きを変更することなく、第１の受電端子と第２の受電端子とのいずれか一方に商用電源からの電源ケーブルを固定することで、電力供給器に対する電源ケーブルの接続方向を決定することができる。従って、電力供給器の設置状況に応じて、電力供給器に対する電源ケーブルの接続方向を容易に変更することが可能になる。このように接続された電源ケーブルを介して供給された電力は、電力供給器の入力端子又は出力端子に接続された同軸ケーブルを介して、電子機器に供給される。
【先行技術文献】
【特許文献】
【０００４】
【特許文献１】特開平６−１８９４５１号公報
【発明の概要】
【発明が解決しようとする課題】
【０００５】
しかしながら、従来の電力供給器については、構造面に関して改善の余地があった。例えば、第１の受電端子又は第２の受電端子の一方と電源ケーブルとが接続されると、第１の受電端子又は第２の受電端子の他方は空き端子となり無駄となっており、このような無駄な端子を設けなければならない分だけ、電力供給器の製造コストが増大する。また、従来の電力供給器は、第１の受電端子と第２の受電端子とを備えていたため、機器全体が大型化してしまう。
【０００６】
このような問題を解消するためには、第１の受電端子又は第２の受電端子の一方を単に省略することも考えられるが、このような省略を行った場合には、電力供給器に対する電源ケーブルの接続方向が一方向に固定されてしまうため、電力供給器の設置状況に応じて、電力供給器に対する電源ケーブルの接続方向を変更することが困難になり、電力供給器の設置性が低下するという別の問題が生じる。
【０００７】
本発明は、上記に鑑みてなされたものであって、電力供給器の設置性を維持しつつ、電力供給器の製造コストを低減することができると共に、電力供給器の小型化を図ることが可能となる、電力供給器を提供することを目的とする。
【課題を解決するための手段】
【０００８】
上述した課題を解決し、目的を達成するために、請求項１に記載の電力供給器は、第１の同軸ケーブルを介して受信した信号を、前記第１の同軸ケーブルとは異なる第２の同軸ケーブルを介して伝送すると共に、商用電源から受電した電力を前記第１の同軸ケーブル又は前記第２の同軸ケーブルを介して電子機器に供給する電力供給器であって、前記第１の同軸ケーブルから前記信号の入力を受ける入力端子と、前記入力端子から入力された前記信号を前記第２の同軸ケーブルに出力する出力端子と、前記商用電源から電力を受電する受電端子と、設置対象に対して前記受電端子の配置位置を変更可能に、当該電力供給器を当該設置対象に取り付けるための取付手段と、を備え、前記取付手段が、当該電力供給器における当該取付手段と接続される側面の中心に対して対称となる２つの位置のいずれか一方に選択的に固定されるように、前記取付手段を当該電力供給器に対して接続可能としている。
【００１０】
また、請求項２に記載の電力供給器は、請求項１に記載の電力供給器において、当該電力供給器の側面上に、前記取付手段を当該電力供給器に接続するための突起部を一対設け、前記一対の突起部を、当該電力供給器における前記突起部が設けられている側面の中心に対して対称となるように配置し、前記取付手段が前記一対の突起部の相互間に配置された前記設置対象を押圧するように、前記取付手段を当該電力供給器に対して接続可能としている。
【００１１】
また、請求項３に記載の電力供給器は、請求項１又は２に記載の電力供給器において、前記取付手段を前記電力供給器に固定する固定部を、前記受電端子の配置位置の変更パターン数に応じて複数備え、前記複数の固定部を、アース端子としている。
【発明の効果】
【００１２】
請求項１に記載の電力供給器によれば、電力供給器の設置性を維持しつつ、無駄な受電端子を備える必要がなくなる。そのため、従来の電力供給器に比べて、電力供給器の製造コストを低減することができると共に、電力供給器を小型化することができる。
また、取付手段を電力供給器における当該取付手段と接続される側面の中心に対して対称となる２つの位置のいずれか一方に固定するだけで、設置対象に対する受電端子の配置変更を行うことができるので、設置対象に対する受電端子の配置変更を容易に行うことができる。
【００１４】
また、請求項２に記載の電力供給器によれば、例えば、設置対象がメッセンジャワイヤの場合でも、一対の突起部の相互間にメッセンジャワイヤを配置して押圧することで、電力供給器をメッセンジャワイヤに吊るした状態で取り付けることができ、状況に応じた設置対象に対する電力供給器の取り付けが可能となる。
【００１５】
また、請求項３に記載の電力供給器によれば、取付手段の固定に使用していない方の固定部を用いてアースを行うことができるので、取付手段の固定に使用している固定部を用いてアースを行う場合に比べて、電力供給器の取り付け構造を安定化させることができると共に、電力供給器のアースを安定化させることができる。
【図面の簡単な説明】
【００１６】
【図１】設置壁に取り付けられた電力供給器を示す斜視図である。
【図２】電力供給器を示す図であり、（ａ）は正面図、（ｂ）は平面図、（ｃ）は右側面図、（ｄ）は底面図である。
【図３】図２（ｃ）のＡ−Ａ矢視断面図である。
【図４】電力供給器の分解斜視図である。
【図５】取付片を示す図であり、（ａ）は正面図、（ｂ）は平面図、（ｃ）は右側面図である。
【図６】設置壁に取り付けられた電力供給器を示す図であり、（ａ）図示右側から左側に向けて電源ケーブルが敷設されている状況を示す図であり、（ｂ）図示左側から右側に向けて電源ケーブルが敷設されている状況を示す図である。
【図７】メッセンジャワイヤに取り付けられた電力供給器を示す図であり、（ａ）図示右側から左側に向けて電源ケーブルが敷設されている状況を示す図であり、（ｂ）図示左側から右側に向けて電源ケーブルが敷設されている状況を示す図である。
【発明を実施するための形態】
【００１７】
以下に添付図面を参照して、本発明に係る実施の形態を詳細に説明する。ただし、この実施の形態によって本発明が限定されるものではない。
【００１８】
（構成）
本実施の形態に係る電力供給器の適用対象としては、センター装置から複数の住戸に対して放送信号を伝送するためのＣＡＴＶシステムにおいて、センター装置から送信された信号を各住戸に送信するための伝送ラインに配置された電力供給器であって、当該伝送ラインに配置された増幅器等の各種の電子機器に対して電力を供給する電力供給器に適用した場合を例として説明を行う。また、この電力供給器が設置される場所は任意であり、この電力供給器を住戸の屋外や屋内に設置することができるが、以下では、住戸の屋外に設置された電力供給器に適用した場合を例として説明を行う。また、電力供給器の設置対象の種類や構造は任意であるが、以下では、設置対象が壁である場合（以下、当該壁を「設置壁」と称する）と、設置対象がメッセンジャワイヤである場合とについて説明する。
【００１９】
最初に、電力供給器の基本構成について説明する。図１は、設置壁に取り付けられた電力供給器を示す斜視図である。図２は、電力供給器を示す図であり、（ａ）は正面図、（ｂ）は平面図、（ｃ）は右側面図、（ｄ）は底面図である。図３は、図２（ｃ）のＡ−Ａ矢視断面図である。図４は、電力供給器の分解斜視図である。なお、以下の説明においては、図１のＸ方向を左右方向（又は幅方向）、図１のＹ方向を上下方向（又は高さ方向）、図１のＺ方向を前後方向とする。
【００２０】
電力供給器１は、図１〜図４に示すように、筐体１０の内部に、回路基板２０を収容して構成されている。また、この電力供給器１の外部には、取付部３０が取り付けられる。なお、以下では、必要に応じて、伝送ラインを構成する同軸ケーブルのうち、電力供給器１よりも図示しないセンター装置側に位置する同軸ケーブルを「第１の同軸ケーブル」と称し、電力供給器１よりも図示しない住戸側に位置する同軸ケーブルを「第２の同軸ケーブル」と称する。
【００２１】
（構成−筐体）
筐体１０は、電力供給器１の構造体であり、回路基板２０を外部から保護する保護手段であり、ベース部１１と、カバー部１２とを備える。
【００２２】
ベース部１１は、上面を開放した略箱形状体であり、例えばアルミダイキャストにて形成されている。また、このベース部１１は、第１の信号端子１３と、第２の信号端子１４と、受電端子１５と、分配用コネクタ１６ａ、１６ｂ、１６ｃ、１６ｄとを備えている。
【００２３】
第１の信号端子１３は、当該第１の信号端子１３に第１の同軸ケーブルが接続されている場合には、第１の同軸ケーブルから信号の入力を受ける入力端子であると共に、当該第１の信号端子１３に第２の同軸ケーブルが接続されている場合には、第２の信号端子１４に入力された信号を第２の同軸ケーブルに出力する出力端子である。具体的には、図２（ａ）〜（ｃ）に示すように、第１の信号端子１３は、ベース部１１におけるＸ方向の一方の側面に設けられた開口１１ａに挿入されており、ベース部１１に対して固定具等によって接続されている。
【００２４】
第２の信号端子１４は、当該第２の信号端子１４に第１の同軸ケーブルが接続されている場合には、第１の同軸ケーブルから信号の入力を受ける入力端子であると共に、当該第２の信号端子１４に第２の同軸ケーブルが接続されている場合には、第１の信号端子１３に入力された信号を第２の同軸ケーブルに出力する出力端子である。具体的には、図２（ａ）〜（ｃ）に示すように、第２の信号端子１４は、ベース部１１におけるＸ方向の他方の側面に設けられた開口１１ｂであって、開口１１ａと対向する位置に配置された開口１１ｂに挿入されており、ベース部１１に対して固定具等によって接続されている。
【００２５】
受電端子１５は、商用電源（図示省略）から電源ケーブル（図示省略）を介して電力を受電するための端子である。具体的には、図２（ｂ）、（ｄ）に示すように、受電端子１５は、ベース部１１におけるＸ方向の一方の側面に設けられた開口１１ｃに挿入されており、ベース部１１に対して固定具等によって接続されている。より具体的には、受電端子１５は、第１の信号端子１３とＺ方向に沿って並設されている。
【００２６】
分配用コネクタ１６ａ、１６ｂ、１６ｃ、１６ｄは、第１の同軸ケーブルが接続された例えば第１の信号端子１３から入力された信号を、第１の同軸ケーブル及び第２の同軸ケーブル以外の他の同軸ケーブル（図示省略）に分配するためのコネクタである。具体的には、図２（ｄ）に示すように、分配用コネクタ１６ａ、１６ｂ、１６ｃ、１６ｄは、当該分配用コネクタ１６ａ、１６ｂ、１６ｃ、１６ｄの差込口が閉じられた状態で、ベース部１１の底面に配置されている。そのため、上記他の同軸ケーブルへの分配を行う際には、ベース部１１の下面における分配用コネクタ１６ａ、１６ｂ、１６ｃ、１６ｄの差込口に対応する部分をねじ切りすることによって、上記他の同軸ケーブルをベース部１１に接続することが可能となる。このような構成により、この電力供給器１は、第１の信号端子１３に第１の同軸ケーブルが接続され、第２の信号端子１４に第２の同軸ケーブルが接続され、分配用コネクタ１６ａ、１６ｂ、１６ｃ、１６ｄの少なくとも一つに他の同軸ケーブルが接続されている場合には、分岐器や分配器として使用されることが可能となる。
【００２７】
カバー部１２は、ベース部１１の上面を略覆うものである。具体的には、カバー部１２は、下面を開放した略箱形状体（より具体的には、ベース部１１よりも高さが低く、かつ、ベース部１１よりも平面形状が大きい、略箱形状体）であり、アルミダイキャストにて形成されている。また、このカバー部１２は、ベース部１１の上面を略覆うように配置され、ベース部１１に対して固定具等によって固定されている。
【００２８】
また、図４に示すように、このカバー部１２の上面には、突起部１７ａ、１７ｂ（これら突起部１７ａ、１７ｂは、相互に区別する必要がない場合には「突起部１７」と総称する）が設けられている。突起部１７ａ、１７ｂは、後述する取付片３１を電力供給器１に接続するためのものであり、カバー部１２と一体に形成されている。また、各突起部１７には、上方に開放するネジ穴１７ｃが設けられている。このネジ穴１７ｃは、後述する取付片３１を突起部１７に接続する際に、後述する固定ネジ３３を突起部１７に固定するための穴である。ここで、カバー部１２に対するこれら突起部１７ａ、１７ｂの配置位置については、設置対象Ｗに対する受電端子１５の配置変更のパターンに応じて、後述する取付片３１を、突起部１７ａ、１７ｂのいずれか一方に選択的に固定できるように決定されている。例えば、カバー部１２の上面の中心に対して対称（より具体的には、カバー部１２の上面の中心を通る中立軸であって、Ｘ方向に沿った中立軸に対して対称）となるように配置されている。このような構成により、例えば、図１に示すように、図示右側から左側に向けて電源ケーブルを敷設する場合には、後述する取付片３１を突起部１７ａに固定し、あるいは、図示左側から右側に向けて電源ケーブルを敷設する場合には、後述する取付片３１を突起部１７ｂに固定することを、選択的に行うことができる。
【００２９】
（構成−回路基板）
回路基板２０は、電力供給器１の各種機能を実現するための電気回路（図示省略）が実装された基板である。この回路基板２０には、交流電流を変圧及び整流等して直流に変換する整流部（図示省略）等、従来の電力供給器１に用いられるものと同様の公知の電気部品が実装されている。また、図３に示すように、この回路基板２０は、筐体１０内部の下方側に配置されており、筐体１０に対してネジや固定具等によって固定されている。そして、この回路基板２０は、第１の信号端子１３、第２の信号端子１４、受電端子１５、及び分配用コネクタ１６ａ、１６ｂ、１６ｃ、１６ｄとそれぞれ電気的に接続されている。
【００３０】
（構成−取付部）
取付部３０は、設置対象Ｗに対して電力供給器１を取り付けるための取り付け手段である。図４に示すように、この取付部３０は、カバー部１２の上面に配置されており、取付片３１と、固定ネジ３３ａ、３３ｂ（なお、固定ネジ３３ａ、３３ｂは、相互に区別する必要がない場合には「固定ネジ３３」と総称する）とを備えている。なお、図４には、アース線の端部に固定される端子であって、アース線を取付部３０に接続するためのアース接続片３２を示す。
【００３１】
（構成−取付部−取付片）
図５は、取付片３１を示す図であり、（ａ）は正面図、（ｂ）は平面図、（ｃ）は右側面図である。取付片３１は、電力供給器１を設置対象Ｗに取り付けるための取付手段である。具体的には、図５に示すように、取付片３１は、側面形状が略Ｌ字状の板状体であり、鋼材等にて形成されている。具体的には、取付片３１は、Ｚ方向に沿った平板状の底辺３１ａと、Ｙ方向に沿った平板状の側辺３１ｂとを、相互に略直交するように組み合わせて構成されている。これら底辺３１ａと側辺３１ｂは、相互に別体に形成された後で相互に溶接等にて接続されてもよく、あるいは一枚の平板を折り曲げることでこれら底辺３１ａと側辺３１ｂを形成してもよい。
【００３２】
ここで、底辺３１ａのＺ方向の長さは、少なくとも、突起部１７ａ、１７ｂのいずれか一方から、カバー部１２のＸ方向に沿った２つの側面のうち、当該突起部１７ａ、１７ｂのいずれか一方に近い側の側面に至る長さとなるように、決定されている。また、底辺３１ａのＸ方向に沿った幅は、少なくとも、突起部１７ａ、１７ｂの幅以上の幅となるように決定されている。従って、底辺３１ａの長手方向の一方の端部を突起部１７ａ、１７ｂのいずれか一方に位置させた状態において、当該一方の端部によって突起部１７ａ、１７ｂのいずれか一方を覆うことができると共に、この状態においては、底辺３１ａの長手方向の他方の端部が上記カバー部１２の側面に位置し、側辺３１ｂを設置壁に取り付けることが可能になる。ただし、底辺３１ａのＺ方向の長さを、カバー部１２の側面よりもさらに外側に突出させるような長さとしてもよい。
【００３３】
さらに、底辺３１ａのＺ方向の長さは、当該底辺３１ａの長手方向の一方の端部により、突起部１７ａ、１７ｂの相互間に形成された空間部を覆うことができる程度の長さとする。このことにより、設置対象Ｗがメッセンジャワイヤである場合に、このメッセンジャワイヤを突起部１７ａ、１７ｂの相互間に挿通させた状態において、底辺３１ａの長手方向の一方の端部によって、メッセンジャワイヤを覆うことができる。特に、底辺３１ａのＺ方向に沿った両側辺３１ｂには、Ｙ方向に沿って下がる垂下辺３１ｃが一体に形成されているため、この垂下辺３１ｃによってメッセンジャワイヤを押圧することができる。
【００３４】
また、底辺３１ａは、開口３１ｄを備えて構成されている。開口３１ｄは、取付片３１を固定ネジ３３に接続する際に、固定ネジ３３を突起部１７に連通するための貫通孔である。この開口３１ｄは、略円形状の孔部であり、固定ネジ３３の頭部は挿通不能であるが固定ネジ３３の本体部を挿通可能な内径で形成されている。
【００３５】
一方、側辺３１ｂのＹ方向の長さは、後述する開口３１ｅが形成可能となる限りにおいて、任意の長さとされている。また、側辺３１ｂのＸ方向に沿った幅は、底辺３１ａのＸ方向に沿った幅とほぼ同じとなるように決定されている。この側辺３１ｂは、開口３１ｅを備えて構成されている。この開口３１ｅは、電力供給器１を設置壁に固定する際に、当該設置壁にねじ込まれた固定ネジＮを係止させるための貫通孔である。この開口３１ｅは、ダルマ形状の孔部であり、固定ネジＮの頭部を挿通可能な径の大径部と、この大径部に対して上方に設けられたものであって固定ネジＮの頭部は挿通不能であるが固定ネジＮの本体部を挿通可能な内径の小径部とを、相互に連通させて構成されている。
【００３６】
（構成−取付部−固定ネジ）
固定ネジ３３ａ、３３ｂは、取付片３１と突起部１７とを固定するための固定部である。具体的には、図４に示すように、固定ネジ３３ａは、取付片３１の開口３１ｄを介して突起部１７ａのネジ穴１７ｃに挿入され、当該突起部１７ａに対して螺合される。この固定ネジ３３の具体的な構成は任意であるが、取付片３１と接続されていない固定ネジ３３をアース端子とするために、例えば公知の鋼製ネジ等を用いることができる。すなわち、固定ネジ３３ｂを介して突起部１７との間にアース接続片３２を挟持することで、このアース接続片３２に接続された図示しないアース線を介したアースを行うことが可能となる。このように、取付片３１の固定に使用していない固定ネジ３３を有効に活用することができるので、取付片３１の固定に使用している固定ネジを用いてアースを行う場合に比べて、電力供給器の取り付け構造を安定化させることができると共に、電力供給器のアースを安定化させることができる。
【００３７】
（取り付け方法）
次に、このように構成された電力供給器１の取り付け方法について説明する。この電力供給器１の取り付け状態としては、図６に示すように、電力供給器１が、鉛直方向に略沿った設置対象Ｗである設置壁に掛けられた状態である「設置壁掛け状態」と、図７に示すように、電力供給器１が、Ｘ方向に略沿った設置対象Ｗであるメッセンジャワイヤに吊るされた状態である「ワイヤ吊り状態」との２つの方法に区分けされる。さらに、取り付け方法には、図６（ａ）と図７（ａ）に示すように、「図示右側から左側に向けて電源ケーブルが敷設されている場合の取り付け方法（右電源パターン）」と、図６（ｂ）と図７（ｂ）に示すように、「図示左側から右側に向けて電源ケーブルが敷設されている場合の取り付け方法（左電源パターン）」との２つの方法に区分けされる。
【００３８】
（取り付け方法−設置壁掛け状態−右電源パターン）
最初に、設置壁掛け状態の取り付け方法のうち、右電源パターンの取り付け方法について説明する。図６（ａ）に示すように、取付片３１の底辺３１ａによって突起部１７ａが覆われ（より具体的には、底辺３１ａの開口３１ｄが突起部１７ａのネジ穴１７ｃと対応するように）、且つ、取付片３１の側辺３１ｂがカバー部１２の上面の後端部側に配置されるように、取付片３１をカバー部１２の上面に配置する。次いで、固定ネジ３３ａを、底辺３１ａの開口３１ｄを介して突起部１７ａのネジ穴１７ｃに挿入して締め付けることによって、取付片３１を固定ネジ３３ａに介して突起部１７ａに固定する。
【００３９】
次に、アース接続片３２をカバー部１２の上面に配置し、このアース接続片３２を固定ネジ３３ｂを介して突起部１７ｂに固定する。続いて、設置壁にねじ込まれ固定ネジＮの頭部を、側辺３１ｂの開口３１ｅの大径部に挿通させた後、小径部に挿通させることにより、取付片３１に固定ネジＮを係止する。これにより、図６（ａ）に示すように、電力供給器１が設置壁に掛けられた状態で、電力供給器１を設置壁に取り付けることができると共に、図示右側から左側に向けて電源ケーブルを敷設することができる。
【００４０】
続いて、第１の信号端子１３に第１の同軸ケーブルを接続すると共に、第２の信号端子１４に第２の同軸ケーブルを接続する。また、受電端子１５に電源ケーブルを接続する。これにより、第１の同軸ケーブルから第１の信号端子１３に入力された信号が、第２の信号端子１４によって第２の同軸ケーブルに出力されると共に、受電端子１５によって受電された電力が第１の信号端子１３又は第２の信号端子１４から送電される。
【００４１】
（取り付け方法−設置壁掛け状態−左電源パターン）
次に、設置壁掛け状態の取り付け方法のうち、左電源パターンの取り付け方法について説明する。図６（ｂ）に示すように、取付片３１の底辺３１ａによって突起部１７ｂが覆われ（より具体的には、底辺３１ａの開口３１ｄが突起部１７ｂのネジ穴１７ｃと対応するように）、且つ、取付片３１の側辺３１ｂがカバー部１２の上面の後端部側に配置されるように、取付片３１をカバー部１２の上面に配置する。次いで、固定ネジ３３ｂを、底辺３１ａの開口３１ｄを介して突起部１７ｂのネジ穴１７ｃに挿入して締め付けることによって、取付片３１を固定ネジ３３ｂを介して突起部１７ｂに固定する。
【００４２】
次に、アース接続片３２をカバー部１２の上面に配置し、このアース接続片３２を固定ネジ３３ａを介して突起部１７ａに固定する。続いて、設置壁にねじ込まれ固定ネジＮの頭部を、側辺３１ｂの開口３１ｅの大径部に挿通させた後、小径部に挿通させることにより、取付片３１に固定ネジＮを係止する。これにより、図６（ｂ）に示すように、電力供給器１が設置壁に掛けられた状態で、電力供給器１を設置壁に取り付けることができると共に、図示左側から右側に向けて電源ケーブルを敷設することができる。
【００４３】
続いて、第２の信号端子１４に第１の同軸ケーブルを接続すると共に、第１の信号端子１３に第２の同軸ケーブルを接続する。また、受電端子１５に電源ケーブルを接続する。これにより、第１の同軸ケーブルから第２の信号端子１４に入力された信号が、第１の信号端子１３によって第２の同軸ケーブルに出力されると共に、受電端子１５によって受電された電力が第１の信号端子１３又は第２の信号端子１４から送電される。
【００４４】
（取り付け方法−ワイヤ吊り状態−右電源パターン）
次に、ワイヤ吊り状態の取り付け方法のうち、右電源パターンの取り付け方法について説明する。図７（ａ）に示すように、受電端子１５が図示右側に位置するように、筐体１０をメッセンジャワイヤに配置して、突起部１７ａ、１７ｂの相互間にメッセンジャワイヤを挿通する。
【００４５】
次に、取付片３１の底辺３１ａによってメッセンジャワイヤが覆われ、且つ、この底辺３１ａによって突起部１７ａが覆われるように（より具体的には、底辺３１ａの開口３１ｄが突起部１７ａのネジ穴１７ｃと対応するように）、取付片３１をカバー部１２の上面に配置する。そして、固定ネジ３３ａを、底辺３１ａの開口３１ｄを介して突起部１７ａのネジ穴１７ｃに挿入して締め付けることによって、取付片３１の垂下辺３１ｃによるメッセンジャワイヤへの押圧を利用して、取付片３１をメッセンジャワイヤに接続すると共に、取付片３１を固定ネジ３３ａを介して突起部１７ａに固定する。これにより、図７（ａ）に示すように、電力供給器１がメッセンジャワイヤに吊るされた状態で、電力供給器１をメッセンジャワイヤに取り付けることができると共に、図示右側から左側に向けて電源ケーブルを敷設することができる。
【００４６】
続いて、アース接続片３２をカバー部１２の上面に配置し、このアース接続片３２を固定ネジ３３ｂを介して突起部１７ｂに固定する。次いで、第１の信号端子１３に第１の同軸ケーブルを接続すると共に、第２の信号端子１４に第２の同軸ケーブルを接続する。また、受電端子１５に電源ケーブルを接続する。
【００４７】
（取り付け方法−ワイヤ吊り状態−左電源パターン）
次に、ワイヤ吊り状態の取り付け方法のうち、左電源パターンの取り付け方法について説明する。図７（ｂ）に示すように、受電端子１５が図示左側に位置するように、筐体１０をメッセンジャワイヤに配置して、突起部１７ａ、１７ｂの相互間にメッセンジャワイヤを挿通する。
【００４８】
次に、取付片３１の底辺３１ａによってメッセンジャワイヤが覆われ、且つ、取付片３１の底辺３１ａによって突起部１７ｂが覆われるように（より具体的には、取付片３１の底辺３１ａの開口３１ｄが突起部１７ｂのネジ穴１７ｃと対応するように）、取付片３１をカバー部１２の上面に配置する。そして、固定ネジ３３ｂを、取付片３１の底辺３１ａの開口３１ｄを介して突起部１７ｂのネジ穴１７ｃに挿入して締め付けることによって、取付片３１の垂下辺３１ｃによるメッセンジャワイヤへの押圧を利用して、取付片３１をメッセンジャワイヤに接続すると共に、取付片３１を固定ネジ３３ｂを介して突起部１７ｂに固定する。これにより、図７（ｂ）に示すように、電力供給器１がメッセンジャワイヤに吊るされた状態で、電力供給器１をメッセンジャワイヤに取り付けることができると共に、図示左側から右側に向けて電源ケーブルを敷設することができる。
【００４９】
続いて、アース接続片３２をカバー部１２の上面に配置し、このアース接続片３２を固定ネジ３３ａを介して突起部１７ａに固定する。次いで、第２の信号端子１４に第１の同軸ケーブルを接続すると共に、第１の信号端子１３に第２の同軸ケーブルを接続する。また、受電端子１５に電源ケーブルを接続する。
【００５０】
（効果）
このように本実施の形態によれば、設置対象Ｗに対して受電端子１５の配置位置を変更可能に、電力供給器１を設置対象Ｗに取り付けるための取付片３１を備えたので、電力供給器１の設置性を維持しつつ、無駄な受電端子１５を備える必要がなくなる。そのため、従来の電力供給器に比べて、電力供給器１の製造コストを低減することができると共に、電力供給器１を小型化することができる。
【００５１】
また、取付片３１が、カバー部１２の上面において、当該カバー部１２の上面の中心に対して対称となるように配置された突起部１７ａ、１７ｂのいずれか一方に選択的に固定されるように、取付片３１を電力供給器１に対して接続可能としたので、取付片３１を突起部１７ａ、１７ｂのいずれか一方に固定するだけで、設置対象Ｗに対する受電端子１５の配置変更を行うことができるので、設置対象Ｗに対する受電端子１５の配置変更を容易に行うことができる。
【００５２】
また、取付片３１が突起部１７ａ、１７ｂの相互間に配置された設置対象Ｗを押圧するように、取付片３１を電力供給器１に対して接続可能としたので、例えば、設置対象Ｗがメッセンジャワイヤの場合でも、突起部１７ａ、１７ｂの相互間にメッセンジャワイヤを配置して押圧することで、電力供給器１をメッセンジャワイヤに吊るした状態で取り付けることができ、状況に応じた設置対象Ｗに対する電力供給器１の取り付けが可能となる。
【００５３】
また、受電端子１５の配置位置の変更パターン数に応じて、取付片３１と突起部１７を固定する固定ネジ３３ａ、３３ｂを備え、これら固定ネジ３３ａ、３３ｂを、アース端子としたので、取付片３１の固定に使用していない方の固定ネジ３３を用いてアースを行うことができるので、取付片３１の固定に使用している固定部３３を用いてアースを行う場合に比べて、電力供給器１の取り付け構造を安定化させることができると共に、電力供給器１のアースを安定化させることができる。
【００５４】
〔各実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００５５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５６】
（受電端子の配置ついて）
上記実施の形態では、受電端子１５は、ベース部１１におけるＸ方向の一方の側面に配置されていると説明したが、これに限られない。例えば、受電端子１５は、ベース部１１におけるＸ方向の他方の側面に配置されてもよく、あるいは、ベース部１１におけるＺ方向の側面に配置されてもよい。
【００５７】
（突起部の配置について）
上記実施の形態では、突起部１７ａ、１７ｂは、カバー部１２の上面におけるＸ方向に沿う中立軸に対して対称となるように配置されていると説明したが、例えば、カバー部１２の上面におけるＺ方向に沿う中立軸に対して対称となるように配置されてもよい。
【００５８】
（取付片について）
上記実施の形態では、取付片３１は、側面形状が略Ｌ字状の板状体であると説明したが、これに限られず、例えば、取付片３１は、側面形状が略コの字状、又は略フック状の板状体であってもよい。
【００５９】
（取り付け方法について）
上記実施の形態では、ワイヤ吊り状態の取り付け方法のうち、右電源パターンの取り付け方法において、取付片３１の底辺３１ａの開口３１ｄが突起部１７ａのネジ穴１７ｃと対応するように、取付片３１をカバー部１２の上面に配置して、固定ネジ３３ａを介して突起部１７ａに固定すると説明したが、これに限られない。例えば、取付片３１の底辺３１ａの開口３１ｄが突起部１７ｂのネジ穴１７ｃと対応するように、取付片３１をカバー部１２の上面に配置して、固定ネジ３３ｂを介して突起部１７ｂに固定してもよい。
【００６０】
また、上記実施の形態では、ワイヤ吊り状態の取り付け方法のうち、左電源パターンの取り付け方法において、取付片３１の底辺３１ａの開口３１ｄが突起部１７ｂのネジ穴１７ｃと対応するように、取付片３１をカバー部１２の上面に配置して、固定ネジ３３ｂを介して突起部１７ｂに固定すると説明したが、これに限られない。例えば、取付片３１の底辺３１ａの開口３１ｄが突起部１７ａのネジ穴１７ｃと対応するように、取付片３１をカバー部１２の上面に配置して、固定ネジ３３ａを介して突起部１７ａに固定してもよい。
【符号の説明】
【００６１】
１  電力供給器
１０  筐体
１１  ベース部
１１ａ、１１ｂ、１１ｃ、３１ｄ、３１ｅ  開口
１２  カバー部
１３  第１の信号端子
１４  第２の信号端
１５  受電端子
１６ａ、１６ｂ、１６ｃ、１６ｄ  分配用コネクタ
１７、１７ａ、１７ｂ  突起部
１７ｃ  ネジ穴
２０  回路基板
３０  取付部
３１  取付片
３１ａ  底辺
３１ｂ  側辺
３１ｃ  垂下辺
３２  アース接続片
３３、３３ａ、３３ｂ、Ｎ  固定ネジ
Ｗ  設置対象
【図１】
0005856526.tif 000002
【図２】
0005856526.tif 000003
【図３】
0005856526.tif 000004
【図４】
0005856526.tif 000005
【図５】
0005856526.tif 000006
【図６】
0005856526.tif 000007
【図７】
0005856526.tif 000008